(57)【要約】【課題】  画像形成装置は原稿載置台の原稿載置基準位置が機種によって様々であり、操作者は基準位置を間違って原稿を載置してしまう場合がある。特に視覚障害者は原稿載置台の正しい原稿載置基準位置がわからない場合がある。【解決手段】  原稿１４の載置ミスの報知方法について、表示出力装置４による報知方法と、音声出力装置３による報知方法とを有し、操作者はいずれの方法を使用するかを選択し設定することができる。原稿１４が原稿載置台１１に載置されると、原稿１４の載置状態を検知し、正しく載置されていない場合は、その旨を設定されている報知方法で報知する。また、原稿１４の載置状態を検知する手段として、原稿１４の左端部から原稿載置台１５の左端部までの距離Ｌ１と、原稿１４の右端部から原稿載置台１５の右端部までの距離Ｌ２を計測し、Ｌ１とＬ２の差値が規定値より大きい場合は原稿１４が正しく載置されていないと判断する機構を有する。【選択図】      図１
2006071926.tif 000002
【特許請求の範囲】
【請求項１】
原稿載置台に載置された原稿の載置状態を検知する検知手段と、
表示により報知を行う表示手段と、
音により報知を行う放音手段と、
前記検知手段の検知結果から報知すべき内容を特定し、前記表示手段および前記放音手段の少なくともいずれか一方に前記内容を報知させる報知制御手段と
を備えることを特徴とする画像形成装置。
【請求項２】
請求項１記載の画像形成装置において、
前記表示手段および前記放音手段の少なくともいずれか一方を選択する報知方法設定情報を操作者の入力に従って設定する設定情報入力手段と、
前記報知方法設定情報を記憶する登録手段と
を備え、
前記報知制御手段は、前記登録手段に記憶された前記報知方法設定情報に基づいて、前記表示手段および前記放音手段の少なくともいずれか一方に前記内容を報知させることを特徴とする画像形成装置。
【請求項３】
請求項２記載の画像形成装置において、
操作者の操作を認識し、認識した操作内容に応じたコマンドを生成する操作入力手段と、
操作者に対して音声による支援を行う音声支援手段と
を備え、
前記報知制御手段は、前記操作入力手段が操作された場合は、前記報知方法設定情報に基づいて、前記表示手段および前記放音手段の少なくともいずれか一方に前記検知結果を報知させ、
前記音声支援手段が使われた場合は、前記通知方法設定情報に関わらず、少なくとも前記放音手段を用いて報知する
ことを特徴とする画像形成装置。
【請求項４】
前記音声支援手段は、操作者の音声を認識し、認識した音声内容に応じたコマンドを生成する音声入力手段、または前記表示手段により表示される文字列を音声で読み上げる音声読み上げ手段、または操作方法を音声ガイドで出力する音声ガイド手段の少なくともいずれか一つを有し、
前記音声入力手段によって前記コマンドが入力されるか、前記音声読み上げ手段または前記音声ガイド手段が使用された状態で前記操作入力手段によりコマンドが入力された場合は、前記通知方法設定情報に関わらず、少なくとも前記放音手段を用いて報知する
ことを特徴とする画像形成装置。
【請求項５】
請求項１から４いずれかに記載の画像形成装置において、
前記検知手段は、原稿載置台角部に原稿があるか否かを検知する検知センサを備え、前記検知センサにより原稿の載置状態を検知することを特徴とする画像形成装置。
【請求項６】
請求項１から４いずれかに記載の画像形成装置において、
前記検知手段は、原稿の主走査方向について、原稿の一端から原稿載置台の一端までの距離と、原稿の他端から原稿載置台の他端までの距離を計測する計測手段と、
前記計測手段が計測した前記二つの距離の差分値が一定値以上の場合は、原稿の載置位置が正常でないことを検知する判定手段と
を具備することを特徴とする画像形成装置。
【発明の詳細な説明】
【技術分野】
【０００１】
本発明は、原稿載置台上に載置された原稿の載置状態を検知し、検知結果を表示と音の併用によって出力する画像形成装置に関する。
【背景技術】
【０００２】
原稿の載置状態が不正な場合は操作者に警告することを目的として、次のような画像形成装置が提案されている。まず、特許文献１に記載の原稿サイズ検知装置を有する画像形成装置は、原稿の長手方向での検知位置と幅方向での検知位置とが整合していない場合に、原稿の載置が誤っていることを判定し、判定結果を表示部に出力する。例えば、原稿の幅方向の一端縁が原稿載置台の原稿載置基準縁からずれているような場合には、長手方向でのサイズ検知結果とこのサイズに対する幅方向でのサイズ検知結果とが一致しないことによって載置が誤っていることを判断する。
【０００３】
特許文献２に記載の画像形成装置は、主走査方向の原稿幅を検知し、その検知情報が一定値未満の場合には、原稿が正常な位置にないと判断し、その旨を表示部に出力する。
【０００４】
【特許文献１】特開平５−３３０６６８号公報
【特許文献２】特開２００３−８８２４号公報
【発明の開示】
【発明が解決しようとする課題】
【０００５】
さて、特許文献１および特許文献２の画像形成装置では、原稿載置状態の検知結果の出力が表示出力のみとなっている。
このため、これらの画像形成装置においては、視覚に障害がある者は検知結果を確認することができず、正しく原稿を載置できないという問題があった。
【０００６】
また、特許文献１の画像形成装置では、非定型サイズの原稿を正しい原稿載置位置に載置した場合でも、原稿載置位置が間違っていると判定してしまうという欠点があった。なぜなら、特許文献１の画像形成装置では、原稿の長手方向のサイズと幅方向のサイズを判定することによって原稿が正しく載置されているかどうかを判定するために、図１０のように、非定型サイズの原稿を原稿載置基準位置に正しく載置した場合でも、載置が誤っていると判断されてしまうからである。
【０００７】
また、特許文献２のような画像形成装置でも、原稿の載置状態を誤判定するという欠点があった。例えば、原稿を図１１のように載置すると、誤った状態で載置されているにも関わらず、原稿の主走査方向幅と副操作方向長手とが正しく検知されるために、正しく載置されていると判断されてしまうからである。
【０００８】
そこで、本発明の目的は、上述した従来の問題に鑑み、原稿の載置が誤った状態で行われた場合を正確に検出できると共に、特に誤った状態での原稿の載置が行われた場合を表示及び音で警告できるようにして、無駄な複写を防ぐと共に、操作者が視覚障害者の場合でも容易に原稿を載置し直すことのできる画像形成装置を提供することにある。
【課題を解決するための手段】
【０００９】
上述した問題を解決するために、本発明に係る画像形成装置は、原稿載置台に載置された原稿の載置状態を検知する検知手段と、表示により報知を行う表示手段と、音により報知を行う放音手段と、前記検知手段の検知結果から報知すべき内容を特定し、前記表示手段および前記放音手段の少なくともいずれか一方に前記内容を報知させる報知制御手段とを備えることを特徴とする。
【発明の効果】
【００１０】
本発明によれば、原稿載置基準位置を誤って原稿載置台に原稿を載置した場合でも、その載置状態を検知するとともに、操作者の選択した方法で報知することができる。すなわち、表示もしくは音によって載置ミスを知らせ、これにより、視認により原稿の正しい載置位置を知ることができない視覚障害者であっても、容易に原稿の載置状態を把握することができ、記録紙の無駄な消費を減少させることができる。また、より具体的な載置情報（ずれの量など）を音声メッセージによって出力することによって、操作者が視覚障害者の場合でも容易に原稿を載置し直すことが可能となる。
【発明を実施するための最良の形態】
【００１１】
以下、本発明の実施の形態について説明する。図１は、本発明の実施形態である画像形成装置１の構成を示すブロック図である。図１において、画像形成装置１は、以下の要素から構成されている。
画像読取部ＳＣＮは、原稿１４（図２参照）の画像を光学的に読み取ってデジタル信号化する処理を行うものである。図２にこの画像読取部ＳＣＮの副走査方向の断面図、図３に画像読取部ＳＣＮを原稿載置台面から見た図を示す。なお、図３においては、図面下方側が、画像形成装置１を操作するユーザ側となっており、図示の左上角部が原稿載置基準位置１２（三角マーク参照）になっている。
【００１２】
図２に示したように、画像読取部ＳＣＮは、透明ガラスで形成された原稿載置台１１と、検知センサ２と、原稿読取用イメージセンサ１６を有している。図示のように、検知センサ２と原稿読取用イメージセンサ１６は、原稿載置台１１の下方に設けられている。
【００１３】
検知センサ２は、原稿載置基準位置１２の位置における原稿１４の有無を検知するものであり、発光素子２ａと受光素子２ｂからなる光学式センサである。検知センサ２は、図２で示すように原稿載置台１１上の原稿載置基準位置１２に向け発光素子２ａから出射され、原稿１４で反射した検知光を、レンズを介して受光素子２ｂに導入させるようになっている。原稿１４が原稿載置基準位置１２になければ検知光は受光されないので、これにより、原稿載置基準位置１２における原稿１４の有無が検知される。
【００１４】
次に、図１に示す操作入力装置６は、操作者が手動によって操作する各種のキーを有するものである。これらのキーには、複写の開始を指示する複写開始キー（スタートキー）が含まれている。操作入力装置６は、これらのキーの操作に応じたコマンドを生成し制御部５に送信する。
【００１５】
音声入力装置７には、画像形成装置の外側に面したマイクロフォン（図示略）が接続されている。音声入力装置７は、マイクロフォンが取り込んだ音声を音声認識してコマンドに変換し、制御部５にコマンドを送信する。本実施形態においては、操作者は、操作入力装置６を使用してコマンドを入力することも可能であり、また音声入力装置７を使用して音声入力によりコマンドを入力することも可能である。
【００１６】
制御部５は、ＣＰＵ，このＣＰＵで用いられるプログラムを記憶したメモリ，その他各種インターフェースを有し、画像形成装置１の各部を制御するものである。
【００１７】
表示出力装置４は、制御部５の制御に基づいて、表示文字列等を液晶表示パネルに表示するものである。音声出力装置３は、制御部５の制御に基づいて、ブザー音，電子音などの警告音や、音声メッセージを出力するものである。この音声出力装置３は、ブザー音，電子音については電子的音源に基づいて発音し、音声メッセージについては、制御部５から送信される音声メッセージデータに基づいて出力を行う。
【００１８】
表示文字列データ記憶部９は、表示に用いられる表示文字列データを記憶している。表示文字列データの例としては、「原稿のセット位置が間違っています」，「原稿を奥に突き当ててセットしてください」といったものがある。音声メッセージデータ記憶部１０は、音声メッセージデータを記憶している。音声メッセージデータの例としては、「原稿のセット位置が間違っています」，「原稿を奥に突き当ててセットしてください」といったものがある。
【００１９】
制御部５は、検知センサ２からの検知信号を受信して原稿載置状態を判断し、その判断結果に応じた表示文字列データまたは音声メッセージデータを、表示文字列データ記憶部９または音声メッセージデータ記憶部１０から各々選択し、音声出力装置３または表示出力装置４に送信する。
【００２０】
また、制御部５は、表示出力装置４に表示する文字列を音声で読み上げる音声読み上げ機能を有している。音声読み上げ機能は、表示出力装置４に表示する表示文字列データを音声メッセージデータに変換し、音声出力装置３に出力する機能である。
また、制御部５は、操作方法を音声ガイドで出力する音声ガイド機能を有している。音声ガイド機能は、音声メッセージデータ記憶部１０から、該当する音声メッセージデータを検索し、音声出力装置３に出力することにより、画像形成装置１の操作入力装置６による複写作業の操作手順を音声ガイドする機能である。
【００２１】
設定情報記憶部８は、画像形成装置１の動作に関する各種の設定情報を記憶している。例えば、原稿１４の載置ミスの報知方法について、以下の三種類の設定情報を記憶している。表示出力装置３を使用するか否かを設定する「メッセージ表示設定」，音声出力装置３を使用して警告音を鳴動させるか否かを設定する「警告音報知設定」，音声出力装置３を使用して音声メッセージを出力するか否かを設定する「音声メッセージ報知設定」である。制御部５は、これら三種類の設定情報を参照し、これらの設定情報に基づいて音声出力装置３や表示出力装置４に出力するデータを送信する。
これら三種類の設定情報は、操作入力装置６または音声入力装置７を使用して操作者が入力する。例えば、「メッセージ表示設定」と「警告音報知設定」をＯＮに、「音声メッセージ報知設定」をＯＦＦに設定した場合、原稿１４が誤った位置に載置されると、制御部５は、検知センサ２の検知結果に基づいて、表示文字列データを表示文字列データ記憶部９から検索し表示出力装置４に送信するとともに、音声出力装置３に警告音を報知する命令を送信する。
上記の３種類の設定情報は、二種類もしくは三種類をＯＮに設定することも可能であり、また、すべてＯＦＦに設定することも可能である。
【００２２】
また、設定情報記憶部８は、上記の設定情報以外にも、音声読み上げ機能を使用するか否かを設定する「音声読み上げ設定」、操作方法の音声ガイドを使用するか否かを設定する「音声ガイド設定」といった設定情報を記憶している。
【００２３】
また、画像形成装置１は、原稿を１枚ずつ送り出して画像読取位置へと搬送し、画像読取が終わった原稿を所定の場所に排紙処理する自動原稿送り装置（図示略）を有している。この自動原稿送り装置には、原稿の有無を検知するセンサ（図示略）が設けられており、このセンサは、自動原稿送り装置の原稿挿入口に原稿がセットされているか否かを検知し、制御部５に検知結果を送信する。制御部５は、この検知結果によって、自動原稿送り装置が使用されているか否かを判断する。また、この自動原稿送り装置は、原稿載置台１１に対して開閉自在に設けられており、閉じた状態では、原稿押さえ板と同じ機能を有する。また、自動原稿送り装置が閉じられると、検知センサ２が動作するようになっている。この検知センサ２は、操作入力装置６や音声入力装置７を使用して複写開始コマンドが生成された場合も動作するようになっている。
【００２４】
以下、図４を参照しながら、本実施形態である画像形成装置１の動作について説明する。始めに、操作者は、操作入力装置６に設置されている操作キーを使用して、画像形成装置１に、載置ミスの報知方法についての設定情報を入力する。表示出力装置４による報知と音声出力装置３による警告音の鳴動との併用による報知を希望する場合は、操作者は、操作キーを使用して、「メッセージ表示設定」，「警告音報知設定」をＯＮに、「音声メッセージ報知設定」をＯＦＦとする入力を行う。これにより、制御部５は、入力された設定情報を設定情報記憶部８に登録する。
【００２５】
操作者が、操作入力装置６を使用して複写を開始するか、または自動原稿送り装置を閉じると、検知センサ２が動作し、原稿載置台１１の原稿１４の載置状態を検知する。このタイミングで、制御部５は、自動原稿送り装置の原稿挿入口に設けられているセンサから受信した検知信号によって、原稿載置台１１に原稿１４が載置されたのか、それとも自動原稿送り装置が使用されたのかを判定する（ステップ３０）。自動原稿送り装置が使用されたと判断した場合は、そのまま処理を終了する。原稿１４が原稿載置台１１に載置されたと判断した場合は、制御部５は、検知センサ２から受信した検知信号により、原稿載置状態を判断する（ステップ３１）。原稿が正常に載置されていると判断した場合は、そのまま複写処理を継続する。原稿が正常に載置されていないと判断した場合は、制御部５は、設定情報記憶部８に記憶されている設定情報を参照し、また、操作入力装置６と音声入力装置７のどちらの入力装置が使用されたかを判定する。（ステップ３２）。この場合、「メッセージ表示設定」の設定情報がＯＮであるため、制御部５は、表示文字列データ記憶部９を検索し、該当する表示文字列データを表示出力装置４に送信する。表示出力装置４は、受信した文字列データを液晶表示パネルに表示する。また、「警告音報知設定」の設定情報がＯＮであるため、制御部５は、音声出力装置９に警告音を報知する命令を送信し、音声出力装置３は電子的音源に基づいて警告音を出力する。（ステップ３３）。
【００２６】
この結果、操作者が視覚障害者の場合でも、警告音や音声メッセージによって、原稿１４の載置状態を容易に把握することができる。また、原稿１４の載置位置が不適切な場合は、警告音の種類や音声メッセージの内容に基づいて原稿１４を載置し直すことが可能となる。また、載置ミスの報知方法についての設定情報を、操作者が入力できることにより、操作者の利便性に応じた報知を行うことが可能となる。
【００２７】
一方、操作者が音声入力装置７を使用して複写を開始した場合は、ステップ３２でその旨が判断される。この場合、「音声メッセージ報知設定」の設定情報がＯＦＦであっても、制御部５はこの設定情報に関係なく、音声メッセージデータ記憶部１０から該当する音声メッセージデータを検索し、音声出力装置３に送信する。そして、音声出力装置３は、受信した音声メッセージデータを出力する。
【００２８】
操作者が視覚障害者である場合は、音声入力装置７を使用することが多く、この場合、載置ミス等についても、音声メッセージで報知することが望ましい。上記の場合、音声メッセージによる報知を必要としない他の操作者によって、「音声メッセージ報知設定」の設定情報にＯＦＦが入力されている場合でも、視覚障害者が音声入力装置７を使用した場合には、載置状態が音声メッセージにより報知される。これにより、視覚障害者は、原稿１４の載置状態をより容易に把握することができ、原稿の再載置も容易に行うことができるようになる。
【００２９】
また、「音声ガイド設定」がＯＮに設定されている場合には、操作入力装置６によって各種操作や各種設定情報の入力が行われると、制御部５は、「音声メッセージ報知設定」の設定情報に関わらず載置状態を音声メッセージにより報知するように制御を行う。
また、「音声読み上げ設定」がＯＮに設定されていて、操作入力装置６によって各種操作や各種設定情報の入力が行われた場合は、制御部５は、「音声メッセージ報知設定」の設定情報に関わらず、載置状態を音声メッセージにより報知するように制御を行う。
【００３０】
操作者が視覚障害者である場合は、音声ガイド機能や音声読み上げ機能を使用することが多く、この場合も、載置ミス等を音声メッセージで報知することが望ましい。この場合、「音声メッセージ報知設定」がＯＦＦに入力されている場合でも、載置状態が音声メッセージにより報知され、操作者は、原稿１４の載置状態をより容易に把握することができ、原稿の再載置も容易に行うことができる。
【００３１】
このように、本実施形態においては、音声入力手段，音声ガイド手段，音声読み上げ手段などの音声支援手段が使用された場合は、音声による報知を行うようにしているので、視覚障害者にとって極めて好適である。
【００３２】
なお、「現状の載置状態のままで、コピー・スキャン・ＦＡＸ送信などの画像形成処理を継続したい場合は、もう一度スタートキーを押してください」という内容のデータを、文字列データまたは音声メッセージデータとして、表示文字列データ記憶部９または音声メッセージデータ記憶部１０に各々記憶しておき、上記の動作の後に、続けて出力することも可能である。
【００３３】
また、様々な原稿の載置状態に細かく対応できる複数の音声メッセージデータを記憶しておき、その時々の原稿の載置状態によって、より具体的な音声メッセージを出力することも可能である。例えば、図１１のように、原稿載置基準位置１２が原稿載置台１１の角部であるにも関わらず、原稿載置台１１の中央に原稿１４が載置された場合は、「原稿を奥に突き当ててセットしてください」という音声メッセージデータを選択し、音声出力装置３に送信する。
【００３４】
なお、上記の実施形態は、検知センサ２として光学式センサを挙げたが、これ以外にも、ＣＣＤイメージセンサを使用することも可能である。
【００３５】
次に、本発明の他の実施形態について説明する。図５は、本発明の他の実施形態である画像形成装置１の構成を示すブロック図である。本実施形態が図１に示す実施形態と異なっているのは、検知センサ２に代わって検知センサ２２が設けられている点であり、他の部分については同一の構成である。
【００３６】
図７は、原稿載置台１５の平面図であり、図示の中央部が原稿載置基準位置１３（三角マーク参照）になっている。図６は原稿載置台１５の、原稿載置基準位置１３における縦断面図であり、図示のように、原稿載置台１５の下方に検知センサ２２が設けられている。この検知センサ２２は、複数の受光素子が主走査方向に１列以上配置されているラインイメージセンサであり、主走査方向について、原稿載置台１５上の原稿の位置を検知するものである。検知センサ２２は、発光素子から原稿載置台１５に向けて出射され、原稿１４で反射した検知光を、レンズを介して受光素子に導入させるようになっている。それぞれの受光素子について、検知光の受光の有無を検知し、それらの検知結果により、主走査方向についての原稿の位置が判断される。
【００３７】
制御部５は、検知センサ２２からの検知信号を受信し、主走査方向について、原稿１４の左端部から原稿載置台１５の左端部までの距離Ｌ１と、原稿１４の右端部から原稿載置台１５の右端部までの距離Ｌ２とを計算する。そして、Ｌ１とＬ２の差値が、前もって規定されている規定値より大きい場合は、原稿１４が正しく載置されていないと判断する。例えば、図７のように原稿１４が載置された場合で、Ｌ１とＬ２の差値が５ｍｍ，規定値が２０ｍｍであった場合は、Ｌ１とＬ２の差値が規定値よりも小さいため、正しく載置されていると判断する。図８のように原稿１４が載置された場合で、Ｌ１とＬ２の差値が１００ｍｍ，規定値が２０ｍｍであった場合は、Ｌ１とＬ２の差値が規定値よりも大きいため、正しく載置されていないと判断する。
【００３８】
以下、図９を参照しながら、本実施形態である画像形成装置１の動作について説明する。ここで、「メッセージ表示設定」と「警告音報知設定」には、ともにＯＮが設定されているものとし、規定値は２０ｍｍであるとする。
【００３９】
操作者が、操作入力装置６を使用して複写を開始するか、または自動原稿送り装置を閉じると、検知センサ２２が動作し、原稿載置台１５の原稿１４の載置状態を検知する。このタイミングで、制御部５は、原稿載置台１５に原稿１４が載置されたのか、それとも自動原稿送り装置が使用されたのかを判定する（ステップ６０）。自動原稿送り装置が使用されたと判断した場合は、そのまま処理を終了する。原稿１４が原稿載置台１５に載置されたと判断した場合は、制御部５は、検知センサ２２から受信した検知信号により、Ｌ１とＬ２の距離を計算する（ステップ６１）。そして、Ｌ１とＬ２の差値が、規定値である２０ｍｍより大きい場合、例えば、Ｌ１とＬ２の差値が６０ｍｍであった場合は、原稿１４が正しく載置されていないと判断する（ステップ６２）。そして、原稿１４の載置ミスの報知方法についての設定情報を、設定情報記憶部８より参照する（ステップ６３）。「メッセージ表示設定」の設定情報がＯＮであるため、制御部５は、表示文字列データ記憶部９から、該当する表示文字列データを検索する。また、原稿のずれの方向とずれ幅を以下のように判断する。Ｌ１＜Ｌ２の場合は、ユーザ側から見て原稿が奥にずれていると判断し、Ｌ１＞Ｌ２の場合は、原稿が手前にずれていると判断する。また、（Ｌ１−Ｌ２）／２の値をずれ幅と判断する。そして、表示文字列データ記憶部９から検索した表示文字列データと、これらの判断結果とを組み合わせた表示文字列データを、表示出力装置４に送信する。表示出力装置４は、液晶表示パネルに受信した文字列データを表示する。この場合、液晶表示パネルには、「原稿のセット位置が間違っています。原稿を３ｃｍ程度奥に移動させてください。」という文字列が表示される。
【００４０】
また、「警告音報知設定」の設定情報がＯＮであるため、制御部５は、音声出力装置９に警告音を報知する命令を送信し、音声出力装置３は電子的音源に基づいて警告音を出力する。（ステップ６４）。
【００４１】
なお、「音声メッセージ報知設定」の設定情報がＯＮである場合は、音声出力装置３は、「原稿のセット位置が間違っています。原稿を３ｃｍ程度奥に移動させてください。」という音声メッセージを出力する。
【００４２】
この結果、間違った位置に原稿１４が載置された場合には、操作者に警告することができるため、無駄な複写を減らすことができる。また、操作者が視覚障害者の場合は、原稿１４が載置基準位置１３からどの程度ずれているかを把握しにくいが、音声メッセージによって原稿１４が具体的にどの程度ずれているのか報知することにより、操作者は、原稿１４の載値状態を具体的に把握することができ、容易に原稿１４を載置し直すことが可能となる。
【００４３】
なお、上記の実施形態は、検知センサ２２としてラインイメージセンサを挙げたが、これ以外にも、図６に示すような、原稿読取部ＳＣＮに設けられている原稿読取用のイメージセンサを、検知センサ２２として使用することも可能である。
【００４４】
また、上述した実施形態においては、設定情報記憶部８に設定された「音声読み上げ設定」および「音声ガイド設定」の設定情報に基づいて、これらの機能が使用されたかどうかを認識するようにしたが、これらの機能を適宜起動させるスイッチ等を設け、このスイッチが押された場合には音声読み上げや音声ガイドが使用されていると認識するように構成してもよい。
【図面の簡単な説明】
【００４５】
【図１】本発明の実施形態である画像形成装置１の構成を示すブロック図である。
【図２】本発明の実施形態である画像読取部ＳＣＮの副走査方向の断面図である。
【図３】本発明の実施形態である画像読取部ＳＣＮを原稿載置台面から見た図である。
【図４】本発明の実施形態である画像形成装置１の動作を示すフローチャートである。
【図５】本発明の実施形態である画像形成装置１の構成を示すブロック図である。
【図６】本発明の実施形態である原稿載置台１５の断面図である。
【図７】本発明の実施形態である原稿載置台１５の平面図である。
【図８】本発明の実施形態である原稿載置台１５の平面図である。
【図９】本発明の実施形態である画像形成装置１の動作示すフローチャートである。
【図１０】本発明の実施形態である原稿載置台１５の平面図である。
【図１１】本発明の実施形態である原稿載置台１５の平面図である。
【符号の説明】
【００４６】
１…画像形成装置、２，２２…検知センサ、２ａ…発光素子、２ｂ…受光素子、３…音声出力装置、４…表示出力装置、５…制御部、６…操作入力装置、７…音声入力装置、８…設定情報記憶部、９…表示文字列データ記憶部、１０…音声メッセージデータ記憶部、１１，１５…原稿載置台、１２，１３…原稿載置基準位置、１４…原稿、ＳＣＮ…画像読取部。
【図１】
2006071926.tif 000003
【図２】
2006071926.tif 000004
【図３】
2006071926.tif 000005
【図４】
2006071926.tif 000006
【図５】
2006071926.tif 000007
【図６】
2006071926.tif 000008
【図７】
2006071926.tif 000009
【図８】
2006071926.tif 000010
【図９】
2006071926.tif 000011
【図１０】
2006071926.tif 000012
【図１１】
2006071926.tif 000013